(57)【要約】本発明は、飲料又はアルコール飲料の容器に関する。本発明は、内容物を入れる容器の本体と、前記本体を密閉する蓋とで構成された飲料又はアルコール飲料の容器において、前記本体は、開口する上端部が大きい内径を有し、下端部にかけて徐々に内径が小さくなって閉じられた漏斗状であり、前記本体の下端部の内周面又は外周面には、第一の連結部が設けられ、前記本体の上端部には、前記蓋が嵌められ、前記蓋の中央部には、前記第一の連結部と連結される第二の連結部が設けられたことを特徴とする。【選択図】  図３
2015505782.tif 000002
【特許請求の範囲】
【請求項１】
内容物を入れる容器の本体と、前記本体を密閉する蓋とで構成された飲料又はアルコール飲料の容器において、
前記本体は、開口する上端部が大きい内径を有し、下端部にかけて徐々に内径が小さくなって閉じられた漏斗状であり、
前記本体の下端部の内周面又は外周面には、第一の連結部が設けられ、
前記本体の上端部には、前記蓋が嵌められ、
前記蓋の中央部には、前記第一の連結部と連結される第二の連結部が設けられたことを特徴とする飲料又はアルコール飲料の容器。
【請求項２】
内容物を入れる容器の本体と、前記本体を密閉する蓋とで構成された飲料又はアルコール飲料の容器において、
前記本体は、漏斗状に形成され、小幅の先端部の外側面には第一の連結部が設けられ、開口には、密閉用シーリング膜が嵌め込まれ、大幅の先端部には、前記蓋が締め付けられ、
前記蓋の中央部には、前記第一の連結部と連結される第二の連結部が設けられたことを特徴とする飲料又はアルコール飲料の容器。
【請求項３】
前記蓋が締め付けられる前記本体の先端部には、シーリング材が接着されて密封されることを特徴とする請求項１または２に記載の飲料又はアルコール飲料の容器。
【請求項４】
前記第一の連結部及び前記第二の連結部が、螺合式または強制嵌合式により連結されることを特徴とする請求項１または２に記載の飲料又はアルコール飲料の容器。
【請求項５】
前記本体の断面が、多角形状のいずれか一つであることを特徴とする請求項１または２に記載の飲料又はアルコール飲料の容器。
【発明の詳細な説明】
【技術分野】
【０００１】
本発明は、飲料又はアルコール飲料の容器に関し、より詳しくは、飲料やアルコール飲料等の入った容器と蓋を逆さまに連結し、コップや酒盃として使用可能な飲料又はアルコール飲料の容器に関する。
【背景技術】
【０００２】
一般に、飲料又はアルコール飲料の容器とは、飲むための飲料やアルコール飲料等の内容物を入れる容器をいう。
【０００３】
飲料又はアルコール飲料の容器は、その内部に入る内容物の種類により、様々な形状のものが多様に提案されている。
【０００４】
殆どの飲料又はアルコール飲料の容器は、図１に示すように、飲料やアルコール飲料等の内容物が入る容器本体１０と、前記本体１０を密閉する蓋２０とで構成される。
【０００５】
しかしながら、上述した飲料又はアルコール飲料の容器は、通常、本体１０の内部の内容物が全て飲まれると捨てられる。このため、ゴミが量産されてしまうという問題点があった。
【０００６】
上述した問題点を解決するために、大韓民国実用新案公開実１９９４−９９２１号公報に、リサイクル容器が提案されている。
【０００７】
上記した大韓民国実用新案公開実１９９４−９９２１号のリサイクル容器は、蓋と胴体、また胴体を支えるための下部カバーで構成される。
【０００８】
また、胴体は、切断のための溝を形成して構成される。
【０００９】
したがって、容器に入った内容物を全て飲むと、容器の下側に設けられた下部カバーを分離した後、胴体を切断し、切断された胴体の上側部分は、蓋を密閉した状態で、分離されて逆さまにされた下部カバーの中央部に結合される。よって、このリサイクル容器はコップとして代替使用可能にしたものである。
【００１０】
上記した従来のリサイクル容器は、容器をリサイクルするという意味はあるものの、結局として切断された胴体の下側はゴミとなるしかないという同一の問題点が発生した。
【００１１】
また、大韓民国実用新案公開実１９９４−９９２１号公報は、容器の一側面に切断線を形成し、容器の底板を分離しなければならないという困難があり、また、コップを形成するために、底板の内側を加熱して溶かさなければならない等の極めて不便な問題が多数あり、実用化には大きな困難があった。
【発明の概要】
【発明が解決しようとする課題】
【００１２】
したがって、本発明の目的は、飲料又はアルコール飲料の容器の構造を改善し、容器に入った内容物を全て飲んだ後、飲料又はアルコール飲料の容器を上下逆さまにして、コップとして使用可能にする。すなわち、他の用途として使用可能にした飲料又はアルコール飲料の容器を提供することにある。
【００１３】
また、本発明の他の目的は、飲料又はアルコール飲料の容器の構造を改善し、本体と蓋を連結して使用可能にすることにより、多数の廃棄物が量産されることを防ぐ飲料又はアルコール飲料の容器を提供することにある。
【課題を解決するための手段】
【００１４】
上述した目的を達成するために、本発明は、内容物を入れる容器の本体と、前記本体を密閉する蓋とで構成された飲料又はアルコール飲料の容器において、前記本体は、開口する上端部が大きい内径を有し、下端部にかけて徐々に内径が小さくなって閉じられた漏斗状であり、前記本体の下端部の内周面又は外周面には、第一の連結部が設けられ、前記本体の上端部には、前記蓋が嵌められ、前記蓋の中央部には、前記第一の連結部と連結される第二の連結部が設けられたことを特徴とする飲料又はアルコール飲料の容器を提供する。
【発明の効果】
【００１５】
上述した本発明は、以下の効果を有する。
第一には、飲料又はアルコール飲料の容器の構造を改善し、容器に入った内容物を全て飲んだ後、飲料又はアルコール飲料の容器の本体を蓋に連結し、コップとして使用可能にすることにより、製品の互換性を期待することができる。
【００１６】
第二には、飲料又はアルコール飲料の容器の構造を改善し、本体と蓋を連結して使用可能にすることにより、多数の廃棄物が量産されることを防ぐ効果も期待することができる。
【図面の簡単な説明】
【００１７】
【図１】従来の一般の飲料又はアルコール飲料の容器を示した斜視図である。
【図２】（ａ）は、本発明による飲料又はアルコール飲料の容器の結合状態を示した斜視図であり、（ｂ）は、本発明による飲料又はアルコール飲料の容器の分解状態を示した斜視図である。
【図３】本発明による飲料又はアルコール飲料の容器の変形された状態を示した斜視図である。
【図４】本発明の他の実施例による飲料又はアルコール飲料の容器を示した縦断面図である。
【図５】本発明による飲料又はアルコール飲料の容器の第一の連結部及び第二の連結部の構造を示した図である。
【図６】本発明による飲料又はアルコール飲料の容器を示した上面図である。
【発明を実施するための形態】
【００１８】
以下、添付した図面に基づき、本発明による飲料又はアルコール飲料の容器について詳述する。
【００１９】
図２の（ａ）、（ｂ）は、本発明による飲料又はアルコール飲料の容器を示した斜視図と分解状態の斜視図であり、図３は、本発明による飲料又はアルコール飲料の容器の連結状態を示した斜視図である。
【００２０】
これらに図示されるように、本発明による飲料又はアルコール飲料の容器は、内容物が入れられる本体１と、本体１を密閉する蓋２とで構成される。
【００２１】
本発明による容器の本体１は、開口する上端部が大きい内径を有し、下端部にかけて徐々に内径が小さくなって閉じられた漏斗状となり、その下端部の内周面または外周面には第一の連結部１ａが設けられる。蓋２は、その中央部に形成された内周面又は外周面で、第一の連結部１ａと連結される第二の連結部２ａが設けられる。
【００２２】
第一の連結部１ａと第二の連結部２ａは、互いに螺合式で連結されるが、強制嵌合式で連結されてもよく、その他多様な方法で具現されてもよいことは勿論である。
【００２３】
容器の本体１と蓋２の材質は、ガラス、プラスチック、または紙材等の多様な材質から適宜選択される。
【００２４】
本発明の蓋２は、その外径が従来のものに比べて相対的に大きく、好ましくは、本体１の大外径部の外径と同様に作製されてもよい。
【００２５】
本体１に飲料やアルコール飲料の入った状態で、蓋２により密封されているときは、一般の飲料やアルコール飲料の容器と同様であるが、蓋２を開け、この蓋２を本体１の下端部に連結すると、すなわち、第一の連結部１ａを第二の連結部２ａに螺嵌すると、コップの形態となり、特に、本体１と蓋２の形状に沿ってワイングラスの形態となる。
【００２６】
蓋２は、密封時は、蓋として機能し、開封して飲用及びリサイクルするときは、台として機能するようになる。
【００２７】
特に、本発明の容器は、飲料を飲むためにも用いられるが、携帯用アルコール飲料を容器のままで飲む不便さを無くし、容器をコップに代用させ、コップでアルコール飲料を飲めるようになる。
【００２８】
より詳しくは、携帯用アルコール飲料は、通常、その量が少なく、１回で飲用可能なものが好ましいので、本発明のアルコール飲料の容器そのものがアルコール飲料（焼酎、ワイン、ビール、または濁酒等）を飲むための一杯としての機能をするので、使用様態がさらに多様に適用される。
【００２９】
このような構成を有する本発明の飲料又はアルコール飲料の容器の使用過程について説明する。
【００３０】
第一に、リサイクルする場合の例である。
【００３１】
先ず、本発明を用いた飲料又はアルコール飲料の流通状態では、本体１と蓋２が密閉された状態で、その内部に飲料、アルコール飲料、または液状の食品等が選択的に入っている。
【００３２】
蓋２を分離すると、内部に入った飲料またはアルコール飲料が飲めるようになる。
【００３３】
本体１の内部に入った内容物を飲んだ後、蓋２の中央部に設けられた第二の連結部２ａを、本体１の下端部に形成された第一の連結部１ａに螺嵌する。
【００３４】
蓋２を本体１に連結すると、図３のように、蓋２は台として機能し、本体１はコップまたは酒杯の本体として機能する。
【００３５】
したがって、飲料又はアルコール飲料の容器として使った後、容器の本体１と分離された蓋２とを連結して、コップとして使うことにより、使用用途を広げることはもとより、廃棄物が量産されることを防ぐ。
【００３６】
第二に、コップとして活用し、飲料及びアルコール飲料を飲用する場合の例である。
【００３７】
先ず、本発明を用いた飲料又はアルコール飲料の流通状態では、本体１と蓋２が密閉された状態で、その内部に飲料、アルコール飲料、または液状の食品等が選択的に入っている。
【００３８】
この状態で、蓋２を本体１から開封する。このとき、本体１が上向に開口するように蓋２を開封し、内容物がそのまま入っているようにする。
【００３９】
また、開封された蓋２の第二の連結部２ａを、本体１の下端部の第一の連結部１ａに螺嵌する。
【００４０】
この状態となると、図３のような形態となり、本体１内には、飲料及びアルコール飲料が入っている状態であり、蓋２は、本体１の台となる。よって、テーブルや食卓、その他のどこにでも載せた状態で、飲料及びアルコール飲料を飲用可能なコップとして活用できる。
【００４１】
また、好適な実施例において、本体１及び蓋２は、円筒状に限定されず、多角形状であってもよい。多角形状の場合において、本体１は、大幅部と小幅部を有する漏斗状であり、その小幅部に第一の連結部が形成される。蓋２の第二の連結部が第一の連結部と連結する構造を有する。
【００４２】
図４は、本発明の他の実施例による飲料又はアルコール飲料の容器を示した縦断面図である。
【００４３】
図４に示すように、本発明の他の実施例の飲料又はアルコール飲料の容器は、本体１１、蓋１２、シーリング膜１３、シーリング材１４からなる。シーリング材１４は、図２及び図３の実施例にも適用可能である。
【００４４】
図４（Ａ）は分解図であり、図４（Ｂ）は構成部品の結合状態図であり、図４（Ｃ）は蓋１２を開け、開けた部分の反対側に連結させた後、本体１の上下を逆さまにした状態図であり、図４（Ｄ）はシーリング材１４を外して飲用可能な状態を示す図である。
【００４５】
図４に示す本発明の他の実施例による飲料又はアルコール飲料の容器は、図２及び図３に示した飲料又はアルコール飲料の容器と、その構造と機能が同一である。
【００４６】
但し、その構造において、本体１１の小幅部がシーリング膜１３によって完全に密閉されることが異なる。
【００４７】
その理由は、最初の飲料及びアルコール飲料の生産時、既存の設備をそのまま用いるためである。一般的な設備においては、大幅部を下にして床に立てられた状態で、小幅部側から飲料またはアルコール飲料が注入される。しかし、図２、図３の本発明の飲料又はアルコール飲料の容器は、大幅部側から注入され、注入の方向が一般の設備とは反対となってしまう。したがって、既存の設備をそのまま用いるために、大幅部側ではなく、小幅部側から飲料及びアルコール飲料を満たし、これをシーリング膜１３で完全に密閉させる構造を提案する。
【００４８】
図４（Ａ）において、本体１１には、シーリング材１４が接着され、蓋１２が結合された後、飲料及びアルコール飲料が本体１１の内部に満たされるようになる。その後、シーリング膜１３が本体１１に結合され、完全密閉された完成品が生産される。飲料及びアルコール飲料が入った完成品が図４（Ｂ）である。
【００４９】
図４（Ｂ）の状態で製品が陳列または販売される。購入者は、本体１１を図４（Ｂ）の状態または上下を逆さまにした状態で、蓋１２を開き、蓋１２の第二の連結部１２ａと本体１１の第一の連結部１１ａを締め付ける。すると、図４（Ｃ）のような状態となり、その状態でコップとして活用可能になる。
【００５０】
そして、本体１１に接合されたシーリング材１４を外すと、コップ形態の飲料容器となり、その中に飲料及びアルコール飲料が満たされており、飲料の入ったコップとして活用できる。
【００５１】
図５は、本発明による飲料又はアルコール飲料の容器の第一の連結部１１ａ及び第二の連結部１２ａの構造を示した図である。
【００５２】
蓋１２の第二の連結部１２ａと本体１１の第一の連結部１１ａは、図２及び図３のように、螺子タップにより螺嵌されるものあってもよく、さらには、図５に示すように、突出部１１ｂと凹部１２ｂを形成し、強制嵌合式（段係式）で嵌めることも可能であり、同様に、図２及び図３の実施例でも、このような連結方式を具現することも可能である。
【００５３】
図６は、本発明による飲料又はアルコール飲料の容器を示した上面図である。
【００５４】
図６に示すように、本発明による飲料又はアルコール飲料の容器の断面は、円形、三角形、四角形、六角形等の多角形の形態で作製可能である。
【００５５】
本発明を上記の実施例と図面に基づいて説明しているが、本発明は、これに限定されず、本発明の属する技術の分野における通常の知識を有する者にとって、本発明の技術思想と特許請求の範囲の均等範囲内において様々な修正及び変形が可能である。
【００５６】
しかしながら、このような単純な修正及び変形は、本発明の権利範囲に含まれるものである。
【符号の説明】
【００５７】
１、１１    本体
１ａ、１１ａ    第一の連結部
２、１２    蓋
２ａ、１２ａ    第二の連結部
１３    シーリング膜
１４    シーリング材
【図１】
2015505782.tif 000003
【図２（ａ）】
2015505782.tif 000004
【図２（ｂ）】
2015505782.tif 000005
【図３】
2015505782.tif 000006
【図４】
2015505782.tif 000007
【図５】
2015505782.tif 000008
【図６】
2015505782.tif 000009
【国際調査報告】
2015505782.tif 000010
2015505782.tif 000011
2015505782.tif 000012
2015505782.tif 000013